(57)【要約】  本発明の実施形態は、ファイルのプライバシーがファイルを手動で隠すかまたはファイルを手動で暗号化することによって保証され得ない問題を解決するためのファイル保護方法を開示する。方法は、端末デバイスによって目標のファイルを取得するステップと、端末デバイスによって、目標のファイルが予め設定されたファイルの条件を満たすかどうかを判定するステップと、目標のファイルが予め設定されたファイルの条件を満たすとき、端末デバイスによって、目標のファイルが対応する予め設定された保護の条件を満たすかどうかを判定するステップと、目標のファイルが予め設定された保護の条件を満たすとき、端末デバイスによって、対応する保護の解決策を目標のファイルに適用するステップとを含む。本発明の実施形態は、対応するファイル保護装置をさらに提供する。
2018502397.tif 000002
【特許請求の範囲】
【請求項１】
ファイル保護方法であって、
端末デバイスによって目標のファイルを取得するステップと、
前記端末デバイスによって、前記目標のファイルが予め設定されたファイルの条件を満たすかどうかを判定するステップと、
前記目標のファイルが前記予め設定されたファイルの条件を満たすとき、前記端末デバイスによって、前記目標のファイルが対応する予め設定された保護の条件を満たすかどうかを判定するステップと、
前記目標のファイルが前記予め設定された保護の条件を満たすとき、前記端末デバイスによって、対応する保護の解決策を前記目標のファイルに適用するステップとを含む保護方法。
【請求項２】
前記予め設定されたファイルの条件が、
予め設定されたファイルタイプ、ファイル作成時間、ファイル作成元、ファイル作成の地理的位置、またはファイルのタグのうちの少なくとも1つを含む請求項1に記載の保護方法。
【請求項３】
前記予め設定された保護の条件が、
予め設定されたファイルの対象情報、音声情報、テキスト情報、または地理的位置情報のうちの少なくとも1つを含む請求項1に記載の保護方法。
【請求項４】
前記端末デバイスによって、前記目標のファイルが対応する予め設定された保護の条件を満たすかどうかを判定する前記ステップが、
前記目標のファイルが画像ファイルであるとき、前記端末デバイスによって、前記画像ファイルの属性の特徴が前記予め設定された保護の条件を満たすかどうかを判定することであって、前記画像ファイルの前記属性の特徴が、前記画像ファイルの対象情報または地理的位置情報のうちの少なくとも1つを含む、判定することと、
前記目標のファイルが動画ファイルであるとき、前記端末デバイスによって、前記動画ファイルの属性の特徴が前記予め設定された保護の条件を満たすかどうかを判定することであって、前記動画ファイルの前記属性の特徴が、前記動画ファイルの対象情報または音声情報のうちの少なくとも1つを含む、判定することと、
前記目標のファイルが電子メールファイルであるとき、前記端末デバイスによって、前記電子メールファイルの属性の特徴が前記予め設定された保護の条件を満たすかどうかを判定することであって、前記電子メールファイルの前記属性の特徴が、前記電子メールファイルのテキスト情報を含み、前記電子メールファイルの前記テキスト情報が、キーワード情報、送信者情報、または受信者情報のうちの少なくとも1つを含む、判定することと、
前記目標のファイルがテキストファイルであるとき、前記端末デバイスによって、前記テキストファイルの属性の特徴が前記予め設定された保護の条件を満たすかどうかを判定することであって、前記テキストファイルの前記属性の特徴が、前記テキストファイルのテキスト情報を含み、前記テキストファイルの前記テキスト情報が、キーワード情報または作成者情報のうちの少なくとも1つを含む、判定することとを含む請求項1に記載の保護方法。
【請求項５】
前記端末デバイスによって、対応する保護の解決策を前記目標のファイルに適用する前記ステップが、以下の保護の解決策、すなわち、
前記端末デバイスによって前記目標のファイルを完全に隠すことと、
前記端末デバイスによって、前記目標のファイルに対応するアプリケーション以外の別のアプリケーションが前記目標のファイルにアクセスすることを禁止することと、
前記目標のファイルが偶発的に送信された状態にあるときに、前記端末デバイスによって前記目標のファイルを送信することをリフレッシュまたは停止することとのうちの少なくとも1つを実行することを含む請求項1に記載の保護方法。
【請求項６】
前記予め設定されたファイルの条件、前記保護の条件、または前記保護の解決策のうちの少なくとも1つが変更されるとき、前記端末デバイスによって、変更された内容を保存するステップをさらに含む請求項1から5のいずれか一項に記載の保護方法。
【請求項７】
ファイル保護装置であって、
目標のファイルを取得するように構成された取得モジュールと、
前記目標のファイルが予め設定されたファイルの条件を満たすかどうかを判定するように構成された第1の判定モジュールと、
前記目標のファイルが前記予め設定されたファイルの条件を満たすとき、前記目標のファイルが対応する予め設定された保護の条件を満たすかどうかを判定するように構成された第2の判定モジュールと、
前記目標のファイルが前記予め設定された保護の条件を満たすとき、対応する保護の解決策を前記目標のファイルに適用するように構成された適用モジュールとを含む保護装置。
【請求項８】
前記予め設定されたファイルの条件が、
予め設定されたファイルタイプ、ファイル作成時間、ファイル作成元、ファイル作成の地理的位置、またはファイルのタグのうちの少なくとも1つを含む請求項7に記載の保護装置。
【請求項９】
前記予め設定された保護の条件が、
予め設定されたファイルの対象情報、音声情報、テキスト情報、または地理的位置情報のうちの少なくとも1つを含む請求項7に記載の保護装置。
【請求項１０】
前記第2の判定モジュールが、前記目標のファイルが画像ファイルであるとき、前記画像ファイルの属性の特徴が前記予め設定された保護の条件を満たすかどうかを判定するように特に構成され、前記画像ファイルの前記属性の特徴が、前記画像ファイルの対象情報または地理的位置情報のうちの少なくとも1つを含み、
前記第2の判定モジュールが、前記目標のファイルが動画ファイルであるとき、前記動画ファイルの属性の特徴が前記予め設定された保護の条件を満たすかどうかを判定するように特に構成され、前記動画ファイルの前記属性の特徴が、前記動画ファイルの対象情報または音声情報のうちの少なくとも1つを含み、
前記第2の判定モジュールが、前記目標のファイルが電子メールファイルであるとき、前記電子メールファイルの属性の特徴が前記予め設定された保護の条件を満たすかどうかを判定するように特に構成され、前記電子メールファイルの前記属性の特徴が、前記電子メールファイルのテキスト情報を含み、前記電子メールファイルの前記テキスト情報が、キーワード情報、送信者情報、または受信者情報のうちの少なくとも1つを含み、
前記第2の判定モジュールが、前記目標のファイルがテキストファイルであるとき、前記テキストファイルの属性の特徴が前記予め設定された保護の条件を満たすかどうかを判定するように特に構成され、前記テキストファイルの前記属性の特徴が、前記テキストファイルのテキスト情報を含み、前記テキストファイルの前記テキスト情報が、キーワード情報または作成者情報のうちの少なくとも1つを含む請求項7に記載の保護装置。
【請求項１１】
前記適用モジュールが、以下の保護の解決策、すなわち、
前記目標のファイルを完全に隠すことと、
前記目標のファイルに対応するアプリケーション以外の別のアプリケーションが前記目標のファイルにアクセスすることを禁止することと、
前記目標のファイルが偶発的に送信された状態にあるときに、前記目標のファイルを送信することをリフレッシュまたは停止することとのうちの少なくとも1つを実行するように構成される請求項7に記載の保護装置。
【請求項１２】
前記予め設定されたファイルの条件、前記保護の条件、または前記保護の解決策のうちの少なくとも1つが変更されるとき、変更された内容を保存するように構成された保存モジュールをさらに含む請求項7から11のいずれか一項に記載の保護装置。
【発明の詳細な説明】
【技術分野】
【０００１】
本発明は、情報セキュリティの分野に関し、特に、ファイル保護方法および装置に関する。
【背景技術】
【０００２】
現在、端末デバイスの機能が、ますます強力になっている。写真および動画が、都合良く撮影され、記憶され得る。モバイル電話を例として用いると、既存のモバイル電話は、基本的に、写真撮影および動画撮影などの機能を有し、強力なストレージ能力を有する。画像および動画などのファイルは、モバイル電話に都合良く保存され得る。
【０００３】
現在、モバイル電話を紛失する事態がよく起こる。モバイル電話が別の人によって拾得されると、所有者のモバイル電話のファイルが漏らされる。個人のプライバシーがひどく立ち入られ、そのことは所有者の仕事および生活に悪影響がある。端末デバイス、たとえば、モバイル電話と別の端末デバイスとの両方が、紛失された後のプライバシーの漏洩の問題を抱えている。現在、ファイルは、プライバシーの漏洩の問題を解決するために手動設定によって隠されるかまたは暗号化される。
【０００４】
しかし、ファイルが手動で隠されるのかまたはファイルが手動で暗号化されるのかに関わらず、手動追加および設定のプロセスが必要とされる。プロセスが間に合うように実行されない場合、ファイルのプライバシーは保証され得ない。
【発明の概要】
【課題を解決するための手段】
【０００５】
本発明は、ファイルのプライバシーがファイルを手動で隠すかまたはファイルを手動で暗号化することによってリアルタイムで保証され得ない問題を解決するためのファイル保護方法および装置を提供する。
【０００６】
本発明の第1の態様は、
端末デバイスによって目標のファイルを取得するステップと、
端末デバイスによって、目標のファイルが予め設定されたファイルの条件を満たすかどうかを判定するステップと、
目標のファイルが予め設定されたファイルの条件を満たすとき、端末デバイスによって、目標のファイルが対応する予め設定された保護の条件を満たすかどうかを判定するステップと、
目標のファイルが予め設定された保護の条件を満たすとき、端末デバイスによって、対応する保護の解決策を目標のファイルに適用するステップとを含む保護方法を提供する。
【０００７】
第1の態様に関連して、第1のあり得る実装方法において、予め設定されたファイルの条件は、
予め設定されたファイルタイプ、ファイル作成時間、ファイル作成元、ファイル作成の地理的位置、またはファイルのタグのうちの少なくとも1つを含む。
【０００８】
第1の態様に関連して、第2のあり得る実装方法において、予め設定された保護の条件は、
予め設定されたファイルの対象情報、音声情報、テキスト情報、または地理的位置情報のうちの少なくとも1つを含む。
【０００９】
第1の態様に関連して、第3のあり得る実装方法において、端末デバイスによって、目標のファイルが対応する予め設定された保護の条件を満たすかどうかを判定するステップが、
目標のファイルが画像ファイルであるとき、端末デバイスによって、画像ファイルの属性の特徴が予め設定された保護の条件を満たすかどうかを判定することであって、画像ファイルの属性の特徴が、画像ファイルの対象情報または地理的位置情報のうちの少なくとも1つを含む、判定することと、
目標のファイルが動画ファイルであるとき、端末デバイスによって、動画ファイルの属性の特徴が予め設定された保護の条件を満たすかどうかを判定することであって、動画ファイルの属性の特徴が、動画ファイルの対象情報または音声情報のうちの少なくとも1つを含む、判定することと、
目標のファイルが電子メールファイルであるとき、端末デバイスによって、電子メールファイルの属性の特徴が予め設定された保護の条件を満たすかどうかを判定することであって、電子メールファイルの属性の特徴が、電子メールファイルのテキスト情報を含み、電子メールファイルのテキスト情報が、キーワード情報、送信者情報、または受信者情報のうちの少なくとも1つを含む、判定することと、
目標のファイルがテキストファイルであるとき、端末デバイスによって、テキストファイルの属性の特徴が予め設定された保護の条件を満たすかどうかを判定することであって、テキストファイルの属性の特徴が、テキストファイルのテキスト情報を含み、テキストファイルのテキスト情報が、キーワード情報または作成者情報のうちの少なくとも1つを含む、判定することとを含む。
【００１０】
第1の態様に関連して、第4のあり得る実装方法において、端末デバイスによって、対応する保護の解決策を目標のファイルに適用するステップは、以下の保護の解決策、すなわち、
端末デバイスによって目標のファイルを完全に隠すことと、
端末デバイスによって、目標のファイルに対応するアプリケーション以外の別のアプリケーションが目標のファイルにアクセスすることを禁止することと、
目標のファイルが偶発的に送信された状態にあるときに、端末デバイスによって目標のファイルを送信することをリフレッシュまたは停止することとのうちの少なくとも1つを実行することを含む。
【００１１】
第1の態様または第1の態様の第1から第4のあり得る実装方法のいずれか1つに関連して、第5のあり得る実装方法において、方法は、
予め設定されたファイルの条件、保護の条件、または保護の解決策のうちの少なくとも1つが変更されるとき、端末デバイスによって、変更された内容を保存するステップをさらに含む。
【００１２】
本発明の第2の態様は、
目標のファイルを取得するように構成された取得モジュールと、
目標のファイルが予め設定されたファイルの条件を満たすかどうかを判定するように構成された第1の判定モジュールと、
目標のファイルが予め設定されたファイルの条件を満たすとき、目標のファイルが対応する予め設定された保護の条件を満たすかどうかを判定するように構成された第2の判定モジュールと、
目標のファイルが予め設定された保護の条件を満たすとき、対応する保護の解決策を目標のファイルに適用するように構成された適用モジュールとを含むファイル保護装置を提供する。
【００１３】
第2の態様に関連して、第1のあり得る実装方法において、予め設定されたファイルの条件は、
予め設定されたファイルタイプ、ファイル作成時間、ファイル作成元、ファイル作成の地理的位置、またはファイルのタグのうちの少なくとも1つを含む。
【００１４】
第2の態様に関連して、第2のあり得る実装方法において、予め設定された保護の条件は、
予め設定されたファイルの対象情報、音声情報、テキスト情報、または地理的位置情報のうちの少なくとも1つを含む。
【００１５】
第2の態様に関連して、第3のあり得る実装方法において、
第2の判定モジュールは、目標のファイルが画像ファイルであるとき、画像ファイルの属性の特徴が予め設定された保護の条件を満たすかどうかを判定するように特に構成され、画像ファイルの属性の特徴は、画像ファイルの対象情報または地理的位置情報のうちの少なくとも1つを含み、
第2の判定モジュールは、目標のファイルが動画ファイルであるとき、動画ファイルの属性の特徴が予め設定された保護の条件を満たすかどうかを判定するように特に構成され、動画ファイルの属性の特徴は、動画ファイルの対象情報または音声情報のうちの少なくとも1つを含み、
第2の判定モジュールは、目標のファイルが電子メールファイルであるとき、電子メールファイルの属性の特徴が予め設定された保護の条件を満たすかどうかを判定するように特に構成され、電子メールファイルの属性の特徴は、電子メールファイルのテキスト情報を含み、電子メールファイルのテキスト情報は、キーワード情報、送信者情報、または受信者情報のうちの少なくとも1つを含み、
第2の判定モジュールは、目標のファイルがテキストファイルであるとき、テキストファイルの属性の特徴が予め設定された保護の条件を満たすかどうかを判定するように特に構成され、テキストファイルの属性の特徴は、テキストファイルのテキスト情報を含み、テキストファイルのテキスト情報は、キーワード情報または作成者情報のうちの少なくとも1つを含む。
【００１６】
第2の態様に関連して、第4のあり得る実装方法において、適用モジュールは、以下の保護の解決策、すなわち、
目標のファイルを完全に隠すことと、
目標のファイルに対応するアプリケーション以外の別のアプリケーションが目標のファイルにアクセスすることを禁止することと、
目標のファイルが偶発的に送信された状態にあるときに、目標のファイルを送信することをリフレッシュまたは停止することとのうちの少なくとも1つを実行するように構成される。
【００１７】
第2の態様または第2の態様の第1から第4のあり得る実装方法のいずれか1つに関連して、第5のあり得る実装方法において、装置は、
予め設定されたファイルの条件、保護の条件、または保護の解決策のうちの少なくとも1つが変更されるとき、変更された内容を保存するように構成された保存モジュールをさらに含む。
【００１８】
上述の技術的な解決策によって、目標のファイルを取得した後、端末デバイスは、目標のファイルが予め設定されたファイルの条件を満たすかどうかを判定し、満たす場合、目標のファイルが対応する予め設定された保護の条件を満たすかどうかを判定し、満たす場合、対応する保護の解決策を目標のファイルに適用する。したがって、端末デバイスは、条件を満たす目標のファイルをリアルタイムで保護し、それによって、目標のファイルのプライバシーを保証することができる。
【図面の簡単な説明】
【００１９】
【図１】本発明の実施形態によるファイル保護方法の実施形態の概略図である。
【図２】本発明の実施形態によるファイル保護方法の別の実施形態の概略図である。
【図３】本発明の実施形態によるファイル保護装置の実施形態の概略図である。
【図４】本発明の実施形態によるファイル保護装置の別の実施形態の概略図である。
【図５】本発明の実施形態によるファイル保護装置の概略構造図である。
【発明を実施するための形態】
【００２０】
本発明は、ファイルのプライバシーがファイルを手動で隠すかまたはファイルを手動で暗号化することによって保証され得ない問題を解決するためのファイル保護方法および装置を提供する。
【００２１】
以下で、本発明の実施形態の技術的な解決策を本発明の実施形態の添付の図面を参照して明瞭および完全に説明する。明らかに、説明される実施形態は、本発明の実施形態の一部に過ぎず、すべてではない。創造的な努力なしに本発明の実施形態に基づいて当業者によって得られたすべてのその他の実施形態は、本発明の保護範囲内に入るべきである。
【００２２】
本発明の明細書、請求項、および添付の図面において、用語「第1の」、「第2の」、「第3の」、「第4の」などは、異なる対象を区別するように意図されており、特定の順序を説明するように意図されていない。加えて、用語「含む(include)」および「有する(have)」およびこれらのすべての変化形は、非排他的な包含を含むように意図される。たとえば、一連のステップまたはユニットを含むプロセス、方法、システム、製品、またはデバイスは、列挙されたステップまたはユニットに限定されず、任意選択で、列挙されていないステップもしくはユニットをさらに含むか、またはプロセス、方法、製品、もしくは任意選択でデバイスの別の固有のステップもしくはユニットをさらに含む。
【００２３】
本発明の実施形態を理解する便宜上、本発明の実施形態が適用されるシステムが、本明細書において初めに説明される。本発明の実施形態における技術的な解決策は、GSM(登録商標)、符号分割多元接続(CDMA、Code Division Multiple Access)システム、広帯域符号分割多元接続(WCDMA(登録商標)、Wideband Code Division Multiple Access Wireless)、汎用パケット無線サービス(GPRS、General Packet Radio Service)、およびロングタームエボリューション(LTE、Long Term Evolution)などの様々な通信システムに適用される。これは、本明細書において特に限定されない。
【００２４】
端末デバイスは、無線アクセスネットワーク(たとえば、RAN、Radio Access Network)を使用することによって1つまたは複数のコアネットワークと通信し得る。端末デバイスは、モバイル電話、タブレットコンピュータ、メディアプレイヤー、ゲームコンソール、パームトップコンピュータ、もしくはノートブックコンピュータなどのモバイル端末(Mobile Terminal)である可能性があり、またはパーソナルコンピュータなどの固定端末デバイスである可能性がある。これは、本明細書において特に限定されない。
【００２５】
図1を参照すると、本発明の実施形態によるファイル保護方法の実施形態は、以下を含む。
【００２６】
101:  端末デバイスが、目標のファイルを取得する。
【００２７】
本発明のこの実施形態においては、目標のファイルを取得する前に、端末デバイスが、予め設定されたファイルの条件、対応する予め設定された保護の条件、および対応する保護の解決策を既に保存する。ファイルの条件と、保護の条件と、保護の解決策との間の対応が、対応テーブルに保存される可能性があり、またはファイルの条件、保護の条件、または保護の解決策のうちの2つだけが、対応テーブルに保存される可能性があり、残りの1つは、端末デバイス内もしくは端末デバイスがアクセスすることができる別の領域内に保存される。
【００２８】
目標のファイルは作成すること、受信すること、ダウンロードすることなどによって端末デバイスによって取得されるファイルである可能性があることに留意されたい。これは、本明細書において特に限定されない。
【００２９】
102:  端末デバイスが、目標のファイルが予め設定されたファイルの条件を満たすかどうかを判定する。
【００３０】
目標のファイルを取得した後、端末デバイスは、目標のファイルが予め設定されたファイルの条件を満たすかどうかをさらに判定することが理解され得る。予め設定されたファイルの条件は、ユーザによって設定されるかまたはシステムによってデフォルトで設定される。設定が有効になった後、端末デバイスは、ファイルの条件に従って保護される必要があるファイルをさらに選択する。
【００３１】
103:  目標のファイルが予め設定されたファイルの条件を満たすとき、端末デバイスが、目標のファイルが対応する予め設定された保護の条件を満たすかどうかを判定する。
【００３２】
目標のファイルが予め設定されたファイルの条件を満たすとき、端末デバイスは、目標のファイルが対応する予め設定された保護の条件を満たすかどうかをさらに判定し、これは、目標のファイルがファイルの条件を満たすことに基づいて、端末デバイスが、対応する保護の条件に従って保護される必要があるファイルをさらに選択することに等しいことが理解され得る。
【００３３】
104:  目標のファイルが予め設定された保護の条件を満たすとき、端末デバイスが、対応する保護の解決策を目標のファイルに適用する。
【００３４】
従来技術とは異なり、目標のファイルを取得する前に、端末デバイスが予め設定されたファイルの条件、対応する予め設定された保護の条件、および対応する保護の解決策を既に保存するので、目標のファイルが要件を満たすとき、端末デバイスは、目標のファイルをリアルタイムで保護し、それによって、目標のファイルのプライバシーを保証する。
【００３５】
本発明のこの実施形態においては、目標のファイルを取得した後、端末デバイスが、取得された目標のファイルが予め設定されたファイルの条件を満たすかどうかを判定し、満たす場合、目標のファイルが対応する予め設定された保護の条件を満たすかどうかをさらに判定し、満たす場合、対応する保護の解決策を目標のファイルに適用する。したがって、端末デバイスは、要件を満たす目標のファイルをリアルタイムで保護し、それによって、目標のファイルのプライバシーを保証することができる。
【００３６】
図1の実施形態に基づいて、本発明の技術的な解決策が、下で詳細に説明される。図2を参照すると、本発明の実施形態によるファイル保護方法の別の実施形態は、以下を含む。
【００３７】
201:  端末デバイスが、目標のファイルを取得する。
【００３８】
本発明のこの実施形態においては、目標のファイルを取得する前に、端末デバイスが、予め設定されたファイルの条件、対応する予め設定された保護の条件、および対応する保護の解決策を既に保存する。
【００３９】
目標のファイルは作成すること、受信すること、ダウンロードすることなどによって端末デバイスによって取得されるファイルである可能性があることに留意されたい。これは、本明細書において特に限定されない。
【００４０】
202:  端末デバイスが、目標のファイルが予め設定されたファイルの条件を満たすかどうかを判定する。
【００４１】
任意選択で、予め設定されたファイルの条件は、
予め設定されたファイルタイプ、ファイル作成時間、ファイル作成元、ファイル作成の地理的位置、またはファイルのタグのうちの少なくとも1つを含む。
【００４２】
ユーザが、ファイルタイプ、ファイル作成時間、ファイル作成元(たとえば、アプリまたはネットワークアドレス)、ファイル作成の地理的位置、ファイルのタグ(手動で追加される可能性があり、またはマシンによって生成される可能性があり、たとえば、勉強、エンターテインメント、健康、育児、もしくは秘密である可能性がある)などに関する条件を設定する可能性があることが理解され得る。端末デバイスは、予め設定されたファイルの条件を保存する。ファイルの条件は、複数の条件の組合せ、たとえば、ある地理的位置においてある日に作成されたファイルのある種類である可能性がある。
【００４３】
203:  目標のファイルが予め設定されたファイルの条件を満たすとき、端末デバイスが、目標のファイルが対応する予め設定された保護の条件を満たすかどうかを判定する。
【００４４】
任意で、予め設定された保護の条件は、
予め設定されたファイルの対象情報、音声情報、テキスト情報、または地理的位置情報のうちの少なくとも1つを含む。
【００４５】
上述の任意の保護の条件に加えて、予め設定された保護の条件は別の保護の条件である可能性があることに留意されたい。これは、本明細書において特に限定されない。
【００４６】
任意選択で、目標のファイルが画像ファイルであるとき、端末デバイスは、画像ファイルの属性の特徴が予め設定された保護の条件を満たすかどうかを判定し、画像ファイルの属性の特徴は、画像ファイルの対象情報または地理的位置情報のうちの少なくとも1つを含む。
【００４７】
画像ファイルのフォーマットは、BMP、GIF、EPS、DCS、JPEG(*.JPG *.JPEG *.JPE)、PCX、PDF、Raw、PICT、PXR、PNG、SCT、TIFF、Targaなどであることに留意されたい。これは、本明細書において特に限定されない。
【００４８】
さらに、画像ファイルの対象情報は、1人の人の人物像(portrait)情報である可能性があり、2人以上の人の人物像情報である可能性があり、または建物、景色、マーク、テキスト、色、色の組合せなどである可能性がある。これは、本明細書において特に限定されない。代替的に、画像ファイルの属性の特徴は、アパーチャ、焦点距離、シャッタースピード、およびホワイトバランスなどの撮影パラメータをさらに含む可能性がある。
【００４９】
目標のファイルが動画ファイルであるとき、端末デバイスは、動画ファイルの属性の特徴が予め設定された保護の条件を満たすかどうかを判定し、動画ファイルの属性の特徴は、動画ファイルの対象情報または音声情報のうちの少なくとも1つを含む。
【００５０】
動画ファイルのフォーマットは、MKV、MOV、AVI、WMV、MP4、RMVB、ASF、SWF、TS、MTS、MPEG1、MPEG2、M4V、F4V、FLV、3GPなどであることに留意されたい。これは、本明細書において特に限定されない。
【００５１】
さらに、動画ファイルの対象情報は、1人の人の人物像情報である可能性があり、2人以上の人の人物像情報である可能性があり、ムービー内のキャプションもしくはテキストなどの動画に含まれるテキスト情報である可能性があり、または景色、建物、マークなどである可能性がある。これは、本明細書において特に限定されない。
【００５２】
目標のファイルが電子メールファイルであるとき、端末デバイスは、電子メールファイルの属性の特徴が予め設定された保護の条件を満たすかどうかを判定し、電子メールファイルの属性の特徴は、電子メールファイルのテキスト情報を含み、電子メールファイルのテキスト情報は、キーワード情報、送信者情報、または受信者情報のうちの少なくとも1つを含む。
【００５３】
電子メールファイルのフォーマットは、RTF、テキスト、Htmlなどであることに留意されたい。これは、本明細書において特に限定されない。
【００５４】
さらに、電子メールファイルの属性の特徴は、電子メール添付ファイルのサイズ、電子メールの受信または送信時間などである可能性がある。これは、本明細書において特に限定されない。
【００５５】
目標のファイルがテキストファイルであるとき、端末デバイスは、テキストファイルの属性の特徴が予め設定された保護の条件を満たすかどうかを判定し、テキストファイルの属性の特徴は、テキストファイルのテキスト情報を含み、テキストファイルのテキスト情報は、キーワード情報または作成者情報のうちの少なくとも1つを含む。
【００５６】
テキストファイルの属性の特徴は編集情報などである可能性があることに留意されたい。編集情報は、注釈者、注釈の日付、注釈の内容、テキストのフォーマットなどを含む可能性がある。これは、本明細書において特に限定されない。
【００５７】
たとえば、ユーザは、2014年1月1日からアプリによって作成され、ユーザの息子に関係するすべてのファイルを保護するための設定を実行し、この設定が有効になった後、端末デバイスは、デバイス内の各ファイルをスキャンしてそれぞれの目標のファイルが予め設定されたファイルの条件を満たすかどうか、つまり、それぞれの目標のファイルがアプリによって作成され、ファイル作成時間が2014年1月1日であるかまたは2014年1月1日よりも後であるかどうかを判定することが理解され得る。目標のファイルが予め設定されたファイルの条件を満たす場合、端末デバイスは、目標のファイルが予め設定された保護の条件を満たすかどうか、つまり、息子の顔がそれぞれの目標のファイル内で認識されるかどうかを判定する。目標のファイルが保護の条件を満たす場合、端末デバイスは、目標のファイルに対して対応する保護の解決策を適用し、つまり、プライバシーの保護を実行する。特に、たとえば、目標のファイルは、ゲストモードにおいて示されない。
【００５８】
端末デバイスは、それぞれの新たに作成されたファイルに関して上述の行為を自動的に繰り返す。
【００５９】
目標のファイルが音声ファイルであるとき、保護がやはり実行され得ることに留意されたい。特定の原理および処理プロセスは、上述のその他の種類のファイルに対する処理の原理および処理プロセスと同様であり、詳細は、本明細書において再び説明されない。
【００６０】
204:  目標のファイルが予め設定された保護の条件を満たすとき、端末デバイスが、対応する保護の解決策を目標のファイルに適用する。
【００６１】
任意選択で、端末デバイスによって目標のファイルに対応する保護の解決策を適用することは、以下の保護の解決策、すなわち、
端末デバイスによって目標のファイルを完全に隠すことであって、
端末デバイスが目標のファイルを完全に隠し、目標のファイルがいかなる開いたアプリケーションまたは筋書きにおいても示されないことが理解され得る、隠すことと、
端末デバイスによって、目標のファイルに対応するアプリケーション以外の別のアプリケーションが目標のファイルにアクセスすることを禁止することであって、
目標のファイルが任意の開いたアプリケーションまたは筋書きにおいて示され得るが、別のアプリケーションは目標のファイルにアクセスすることができないことが理解され得る、禁止することと、
目標のファイルが偶発的に送信された状態にあるときに、端末デバイスによって目標のファイルを送信することをリフレッシュまたは停止することであって、
目標のファイルがあり得る手動操作が原因で偶発的に送信されるとき、端末デバイスが、目標のファイルの送信を間に合うようにリフレッシュまたは停止し、それによって、目標のファイルのプライバシーを保証し得ることが理解され得る、リフレッシュまたは停止することとのうちの少なくとも1つを実行することを含む。
【００６２】
目標のファイルのための多くの保護の解決策が存在することに留意されたい。上述の3つの解決策に加えて、別の保護の解決策が存在する可能性がある。これは、本明細書において特に限定されない。
【００６３】
従来技術とは異なり、端末デバイスは、毎回ファイルを手動で隠すかまたはファイルを手動で暗号化する必要がない。その代わりに、設定される条件が作成されると、端末デバイス内の条件を満たす目標のファイルが、リアルタイムで自動的に保護される。
【００６４】
205:  予め設定されたファイルの条件、保護の条件、または保護の解決策のうちの少なくとも1つが変更されるとき、端末デバイスが、変更された内容を保存する。
【００６５】
予め設定されたファイルの条件、保護の条件、または保護の解決策のうちの少なくとも1つが変更されるとき、変更された内容が間に合って保存される可能性があり、目標のファイルが変更された内容に従って保護されることが理解され得る。
【００６６】
たとえば、ユーザは、ユーザのモバイル電話において、ユーザの家族の画像および動画が外部に転送されず、ゲストモードにおいて示され得ないことを予め設定する。この条件が設定されると、モバイル電話内の家族のすべての画像は、自動的に保護され、外部に転送されず、ゲストモードにおいて示され得ない。加えて、後に撮影される画像および動画も、自動的に保護され、外部に転送されず、ゲストモードにおいて示され得ない。つまり、ユーザによって後に撮影される家族の写真および動画は、自動的に保護される可能性があり、ユーザは、手動設定を再び実行する必要がない。このようにして、ユーザは、設定を一度実行するだけでよく、それから、条件を満たすファイルは、自動的に保護され得る。加えて、予め設定されたファイルの条件、保護の条件、または保護の解決策のうちの少なくとも1つが更新された後、更新された条件が、条件を満たすすべての既存のファイルに自動的に適用され、条件は新たに作成されたファイルにも自動的に適用され、これは、ユーザに大きな利便性をもたらし、ファイル保護の効率を高めることができる。ユーザの家族の画像および動画が外部に転送されないことが、家族の顔および声、位置などを設定するようにして予め設定され得る。たとえば、写真の中の顔が、家族として指定され、モバイル電話が、物体認識または顔認識などの従来技術の手段によって、家族を含む画像を決定し、決定された画像に対応する保護を適用し、それぞれの新たに追加された画像に対して認識を実行し、対応する保護を適用し得る。
【００６７】
同様に、適時の異なる保護が、予め設定された条件によって、別のファイルの種類、たとえば、音声ファイルに対してやはり実行され得る。これは、本明細書において特に限定されない。
【００６８】
本発明のこの実施形態においては、目標のファイルを取得した後、端末デバイスが、目標のファイルが予め設定されたファイルの条件を満たすかどうかを判定し、満たす場合、目標のファイルが対応する予め設定された保護の条件を満たすかどうかを判定し、満たす場合、対応する保護の解決策を目標のファイルに適用する。予め設定されたファイルの条件、保護の条件、または保護の解決策のうちの少なくとも1つが変更されるとき、端末デバイスは、変更された内容を保存する。したがって、端末デバイスは、条件を満たす目標のファイルをリアルタイムで保護し、それによって、目標のファイルのプライバシーを保証することができる。
【００６９】
本発明の実施形態の上述の関連する方法をよりうまく実装するために、以下で、上述の方法を実装するように構成された関連する装置をさらに提供する。
【００７０】
図3を参照すると、本発明の実施形態によるファイル保護装置300の実施形態は、
目標の条件を取得するように構成された取得モジュール301と、
取得モジュール301によって取得された目標のファイルが予め設定されたファイルの条件を満たすかどうかを判定するように構成された第1の判定モジュール302と、
目標のファイルが予め設定されたファイルの条件を満たすとき、目標のファイルが対応する予め設定された保護の条件を満たすかどうかを判定するように構成された第2の判定モジュール303と、
目標のファイルが予め設定された保護の条件を満たすとき、対応する保護の解決策を目標のファイルに適用するように構成された適用モジュール304とを含む。
【００７１】
本発明のこの実施形態においては、取得モジュールが目標のファイルを取得した後、第1の判定モジュールが、目標のファイルが予め設定されたファイルの条件を満たすかどうかを判定し、満たす場合、第2の判定モジュールが、目標のファイルが対応する予め設定された保護の条件を満たすかどうかを判定し、満たす場合、対応する保護の解決策が、目標のファイルに適用される。したがって、端末デバイスは、条件を満たす目標のファイルをリアルタイムで保護し、それによって、目標のファイルのプライバシーを保証することができる。
【００７２】
図4を参照すると、本発明の実施形態によるファイル保護装置400の別の実施形態が、取得モジュール401、第1の判定モジュール402、第2の判定モジュール403、適用モジュール404、および保存モジュール405を含む。
【００７３】
取得モジュール401は、目標のファイルを取得するように構成される。
【００７４】
第1の判定モジュール402は、取得モジュール401によって取得された目標のファイルが予め設定されたファイルの条件を満たすかどうかを判定するように構成される。
【００７５】
任意選択で、予め設定されたファイルの条件は、
予め設定されたファイルタイプ、ファイル作成時間、ファイル作成元、ファイル作成の地理的位置、またはファイルのタグのうちの少なくとも1つを含む。
【００７６】
第2の判定モジュール403は、目標のファイルが予め設定されたファイルの条件を満たすとき、目標のファイルが対応する予め設定された保護の条件を満たすかどうかを判定するように構成される。
【００７７】
任意選択で、予め設定されたファイルの条件は、
予め設定されたファイルの対象情報、音声情報、テキスト情報、または地理的位置情報のうちの少なくとも1つを含む。
【００７８】
任意選択で、第2の判定モジュール403は、目標のファイルが画像ファイルであるとき、画像ファイルの属性の特徴が予め設定された保護の条件を満たすかどうかを判定するように特に構成され、画像ファイルの属性の特徴は、画像ファイルの対象情報または地理的位置情報のうちの少なくとも1つを含み、
第2の判定モジュール403は、目標のファイルが動画ファイルであるとき、動画ファイルの属性の特徴が予め設定された保護の条件を満たすかどうかを判定するように特に構成され、動画ファイルの属性の特徴は、動画ファイルの対象情報または音声情報のうちの少なくとも1つを含み、
第2の判定モジュール403は、目標のファイルが電子メールファイルであるとき、電子メールファイルの属性の特徴が予め設定された保護の条件を満たすかどうかを判定するように特に構成され、電子メールファイルの属性の特徴は、電子メールファイルのテキスト情報を含み、電子メールファイルのテキスト情報は、キーワード情報、送信者情報、または受信者情報のうちの少なくとも1つを含み、
第2の判定モジュール403は、目標のファイルがテキストファイルであるとき、テキストファイルの属性の特徴が予め設定された保護の条件を満たすかどうかを判定するように特に構成され、テキストファイルの属性の特徴は、テキストファイルのテキスト情報を含み、テキストファイルのテキスト情報は、キーワード情報または作成者情報のうちの少なくとも1つを含む。
【００７９】
適用モジュール404は、目標のファイルが予め設定された保護の条件を満たすとき、対応する保護の解決策を目標のファイルに適用するように構成される。
【００８０】
任意選択で、適用モジュール404は、以下の保護の解決策、すなわち、
目標のファイルを完全に隠すことと、
目標のファイルに対応するアプリケーション以外の別のアプリケーションが目標のファイルにアクセスすることを禁止することと、
目標のファイルが偶発的に送信された状態にあるときに、目標のファイルを送信することをリフレッシュまたは停止することとのうちの少なくとも1つを実行するように構成される。
【００８１】
保存モジュール405は、予め設定されたファイルの条件、保護の条件、または保護の解決策のうちの少なくとも1つが変更されるとき、変更された内容を保存するように構成される。
【００８２】
本発明のこの実施形態においては、取得モジュールが目標のファイルを取得した後、第1の判定モジュールが、目標のファイルが予め設定されたファイルの条件を満たすかどうかを判定し、満たす場合、第2の判定モジュールが、目標のファイルが対応する予め設定された保護の条件を満たすかどうかを判定し、満たす場合、対応する保護の解決策が、目標のファイルに適用され、予め設定されたファイルの条件、保護の条件、または保護の解決策のうちの少なくとも1つが変更されるとき、保存モジュールが、変更された内容を保存する。したがって、端末デバイスは、条件を満たす目標のファイルをリアルタイムで保護し、それによって、目標のファイルのプライバシーを保証することができる。
【００８３】
図3および図4に示された実施形態は、機能モジュールの視点からファイル保護装置の特定の構造を説明する。以下で、図5の実施形態を参照してハードウェアの観点からファイル保護装置の特定の構造を説明する。
【００８４】
図5を参照すると、図5は、本発明の実施形態によるファイル保護装置500の概略構造図である。ファイル保護装置500は、少なくとも1つのプロセッサ501(たとえば、CPU、Central Processing Unit)、少なくとも1つのネットワークインターフェースまたは別の通信インターフェース、メモリ502、少なくとも1つの通信バス、少なくとも1つの入力装置503、少なくとも1つの出力装置504、ならびにこれらの装置の間の接続および通信を実施するように構成される無停電電源装置UPS 5011を含み得る。プロセッサ501は、メモリ502に記憶されたコンピュータプログラムなどの実行可能なモジュールを実行するように構成される。メモリ502は、高速ランダムアクセスメモリ(RAM、Random Access Memory)を含む可能性があり、少なくとも1つの磁気ディスクメモリなどの不揮発性メモリ(non-volatile memory)をさらに含む可能性がある。システムゲートウェイと少なくとも1つのその他のネットワーク要素との間の通信接続は、(有線またはワイヤレスである可能性がある)少なくとも1つのネットワークインターフェースを使用することによって実装され、インターネット、広域ネットワーク、ローカルネットワーク、メトロポリタンエリアネットワークなどが、使用される可能性がある。
【００８５】
図5に示されるように、一部の実装方法において、メモリ502は、プログラム命令を記憶し、プログラム命令は、プロセッサ501によって実行される可能性があり、プロセッサ501は、以下のステップ、すなわち、
目標の条件を取得するステップと、
目標のファイルが予め設定されたファイルの条件を満たすかどうかを判定するステップと、
目標のファイルが予め設定されたファイルの条件を満たすとき、目標のファイルが対応する予め設定された保護の条件を満たすかどうかを判定するステップと、
目標のファイルが予め設定された保護の条件を満たすとき、対応する保護の解決策を目標のファイルに適用するステップとを特に実行する。
【００８６】
一部の実装方法において、プロセッサ501は、以下のステップ、すなわち、
目標のファイルが画像ファイルであるとき、画像ファイルの属性の特徴が予め設定された保護の条件を満たすかどうかを判定するステップであって、画像ファイルの属性の特徴が、画像ファイルの対象情報または地理的位置情報のうちの少なくとも1つを含む、判定するステップと、
目標のファイルが動画ファイルであるとき、動画ファイルの属性の特徴が予め設定された保護の条件を満たすかどうかを判定するステップであって、動画ファイルの属性の特徴が、動画ファイルの対象情報または音声情報のうちの少なくとも1つを含む、判定するステップと、
目標のファイルが電子メールファイルであるとき、電子メールファイルの属性の特徴が予め設定された保護の条件を満たすかどうかを判定するステップであって、電子メールファイルの属性の特徴が、電子メールファイルのテキスト情報を含み、電子メールファイルのテキスト情報が、キーワード情報、送信者情報、または受信者情報のうちの少なくとも1つを含む、判定するステップと、
目標のファイルがテキストファイルであるとき、テキストファイルの属性の特徴が予め設定された保護の条件を満たすかどうかを判定するステップであって、テキストファイルの属性の特徴が、テキストファイルのテキスト情報を含み、テキストファイルのテキスト情報が、キーワード情報または作成者情報のうちの少なくとも1つを含む、判定するステップとをさらに実行する可能性がある。
【００８７】
一部の実装方法において、プロセッサ501は、以下のステップをさらに実行する可能性がある。
【００８８】
対応する保護の解決策を目標のファイルに適用するステップが、以下の保護の解決策、すなわち、
目標のファイルを完全に隠すことと、
目標のファイルに対応するアプリケーション以外の別のアプリケーションが目標のファイルにアクセスすることを禁止することと、
目標のファイルが偶発的に送信された状態にあるときに、目標のファイルを送信することをリフレッシュまたは停止することとのうちの少なくとも1つを実行することを含む。
【００８９】
一部の実装方法において、プロセッサ501は、以下のステップ、すなわち、
予め設定されたファイルの条件、保護の条件、または保護の解決策のうちの少なくとも1つが変更されるとき、変更された内容を保存するステップをさらに実行する可能性がある。
【００９０】
上記の内容からわかるように、目標のファイルを取得した後、端末デバイスが、目標のファイルが予め設定されたファイルの条件を満たすかどうかを判定し、満たす場合、目標のファイルが対応する予め設定された保護の条件を満たすかどうかを判定し、満たす場合、対応する保護の解決策を目標のファイルに適用する。したがって、端末デバイスは、条件を満たす目標のファイルをリアルタイムで保護し、それによって、目標のファイルのプライバシーを保証することができる。
【００９１】
上述の実施形態において、実施形態の説明はそれらのそれぞれの焦点を有することに留意されたい。実施形態において詳細に説明されていない部分に関しては、その他の実施形態の関連する説明が参照され得る。たとえば、図11において説明される実施形態において詳細に説明されない部分に関しては、図1から図10までの方法の実施形態または装置の実施形態の関連する説明を参照されたい。
【００９２】
丁度よい簡潔な説明を目的として、上述のシステム、装置、およびユニットの詳細な作業工程に関しては、上述の方法の実施形態の対応するプロセスを参照し、詳細は本明細書において再度説明されないことが当業者によってはっきりと理解され得る。
【００９３】
本出願の中で提供されるいくつかの実施形態において、開示されたシステム、装置、および方法はその他の方法で実装され得ることを理解されたい。たとえば、説明された装置の実施形態は例示的であるに過ぎない。たとえば、ユニットの分割は、単に論理的な機能の分割であり、実際の実装においてはその他の分割である可能性がある。たとえば、複数のユニットもしくは構成要素が、組み合わされるか、もしくは別のシステムに統合される可能性があり、または一部の特徴が、無視されるか、もしくは実行されない可能性がある。加えて、示されたかまたは検討された相互の結合または直接的な結合または通信接続は、いくつかのインターフェースを使用することによって実装される可能性がある。装置またはユニットの間の間接的な結合または通信接続は、電子的、機械的、またはその他の形態で実装される可能性がある。
【００９４】
別々の部分として説明されたユニットは、物理的に分かれている可能性があり、または物理的に分かれていない可能性があり、ユニットとして示された部分は、物理的なユニットである可能性があり、または物理的なユニットではない可能性があり、1つの位置に置かれる可能性があり、または複数のネットワークユニットに分散される可能性がある。ユニットの一部またはすべては、実施形態の解決策の目的を達成するための実際の必要に応じて選択され得る。
【００９５】
加えて、本発明の実施形態の機能ユニットが、1つの処理ユニットに統合される可能性があり、またはユニットの各々が、物理的に単独で存在する可能性があり、または2つ以上のユニットが、1つのユニットに統合される。統合されたユニットは、ハードウェアの形態で実装される可能性があり、またはソフトウェアの機能ユニットの形態で実装される可能性がある。
【００９６】
統合されたユニットは、ソフトウェアの機能ユニットの形態で実装され、独立した製品として販売されるかまたは使用されるとき、コンピュータ可読ストレージ媒体に記憶され得る。そのような理解に基づいて、本発明の技術的な解決策は本質的にソフトウェア製品の形態で実装される可能性があり、あるいは従来技術、または技術的な解決策のすべてもしくは一部に寄与する部分はソフトウェア製品の形態で実装される可能性がある。コンピュータソフトウェア製品は、ストレージ媒体に記憶され、本発明の実施形態において説明された方法のステップのすべてまたは一部を実行するように(パーソナルコンピュータ、サーバ、またはネットワークデバイスである可能性がある)コンピュータデバイスに命じるためのいくつかの命令を含む。上述のストレージ媒体は、USBフラッシュドライブ、取り外し可能なハードディスク、読み出し専用メモリ(ROM、Read-Only Memory)、ランダムアクセスメモリ(RAM、Random Access Memory)、磁気ディスク、または光ディスクなどのプログラムコードを記憶することができる任意の媒体を含む。
【００９７】
上述の実施形態は、単に本発明の技術的な解決策を説明するように意図されており、本発明を限定するように意図されていない。本発明が上述の実施形態に関連して詳細に説明されているが、当業者は、当業者が、本発明の実施形態の技術的な解決策の趣旨および範囲を逸脱することなく、上述の実施形態で説明された技術的な解決策に対する修正をやはり行う可能性があり、またはそれらの技術的な解決策の一部の技術的な特徴に対して均等な置き換えを行う可能性があることを理解するはずである。
【符号の説明】
【００９８】
300  ファイル保護装置
301  取得モジュール
302  第1の判定モジュール
303  第2の判定モジュール
304  適用モジュール
400  ファイル保護装置
401  取得モジュール
402  第1の判定モジュール
403  第2の判定モジュール
404  適用モジュール
405  保存モジュール
500  ファイル保護装置
501  プロセッサ
502  メモリ
503  入力装置
504  出力装置
5011  無停電電源装置
【図１】
2018502397.tif 000003
【図２】
2018502397.tif 000004
【図３】
2018502397.tif 000005
【図４】
2018502397.tif 000006
【図５】
2018502397.tif 000007
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
ファイル保護方法であって、
端末デバイスによって目標のファイルを取得するステップと、
前記端末デバイスによって、前記目標のファイルが予め設定されたファイルの条件を満たすかどうかを判定するステップと、
前記目標のファイルが前記予め設定されたファイルの条件を満たすとき、前記端末デバイスによって、前記目標のファイルが対応する予め設定された保護の条件を満たすかどうかを判定するステップと、
前記目標のファイルが前記予め設定された保護の条件を満たすとき、前記端末デバイスによって、対応する保護の解決策を前記目標のファイルに適用するステップとを含む保護方法。
【請求項２】
前記予め設定されたファイルの条件が、
予め設定されたファイルタイプ、ファイル作成時間、ファイル作成元、ファイル作成の地理的位置、またはファイルのタグのうちの少なくとも1つを含む請求項1に記載の保護方法。
【請求項３】
前記予め設定された保護の条件が、
予め設定されたファイルの対象情報、音声情報、テキスト情報、または地理的位置情報のうちの少なくとも1つを含む請求項1に記載の保護方法。
【請求項４】
前記端末デバイスによって、前記目標のファイルが対応する予め設定された保護の条件を満たすかどうかを判定する前記ステップが、
前記目標のファイルが画像ファイルであるとき、前記端末デバイスによって、前記画像ファイルの属性の特徴が前記予め設定された保護の条件を満たすかどうかを判定することであって、前記画像ファイルの前記属性の特徴が、前記画像ファイルの対象情報または地理的位置情報のうちの少なくとも1つを含む、判定することと、
前記目標のファイルが動画ファイルであるとき、前記端末デバイスによって、前記動画ファイルの属性の特徴が前記予め設定された保護の条件を満たすかどうかを判定することであって、前記動画ファイルの前記属性の特徴が、前記動画ファイルの対象情報または音声情報のうちの少なくとも1つを含む、判定することと、
前記目標のファイルが電子メールファイルであるとき、前記端末デバイスによって、前記電子メールファイルの属性の特徴が前記予め設定された保護の条件を満たすかどうかを判定することであって、前記電子メールファイルの前記属性の特徴が、前記電子メールファイルのテキスト情報を含み、前記電子メールファイルの前記テキスト情報が、キーワード情報、送信者情報、または受信者情報のうちの少なくとも1つを含む、判定することと、
前記目標のファイルがテキストファイルであるとき、前記端末デバイスによって、前記テキストファイルの属性の特徴が前記予め設定された保護の条件を満たすかどうかを判定することであって、前記テキストファイルの前記属性の特徴が、前記テキストファイルのテキスト情報を含み、前記テキストファイルの前記テキスト情報が、キーワード情報または作成者情報のうちの少なくとも1つを含む、判定することとを含む請求項1に記載の保護方法。
【請求項５】
前記端末デバイスによって、対応する保護の解決策を前記目標のファイルに適用する前記ステップが、以下の保護の解決策、すなわち、
前記端末デバイスによって前記目標のファイルを完全に隠すことと、
前記端末デバイスによって、前記目標のファイルに対応するアプリケーション以外の別のアプリケーションが前記目標のファイルにアクセスすることを禁止することと、
前記目標のファイルが偶発的に送信された状態にあるときに、前記端末デバイスによって前記目標のファイルを送信することをリフレッシュまたは停止することとのうちの少なくとも1つを実行することを含む請求項1に記載の保護方法。
【請求項６】
前記予め設定されたファイルの条件、前記保護の条件、または前記保護の解決策のうちの少なくとも1つが変更されるとき、前記端末デバイスによって、変更された内容を保存するステップをさらに含む請求項1から5のいずれか一項に記載の保護方法。
【請求項７】
ファイル保護装置であって、
目標のファイルを取得するように構成された取得モジュールと、
前記目標のファイルが予め設定されたファイルの条件を満たすかどうかを判定するように構成された第1の判定モジュールと、
前記目標のファイルが前記予め設定されたファイルの条件を満たすとき、前記目標のファイルが対応する予め設定された保護の条件を満たすかどうかを判定するように構成された第2の判定モジュールと、
前記目標のファイルが前記予め設定された保護の条件を満たすとき、対応する保護の解決策を前記目標のファイルに適用するように構成された適用モジュールとを含む保護装置。
【請求項８】
前記予め設定されたファイルの条件が、
予め設定されたファイルタイプ、ファイル作成時間、ファイル作成元、ファイル作成の地理的位置、またはファイルのタグのうちの少なくとも1つを含む請求項7に記載の保護装置。
【請求項９】
前記予め設定された保護の条件が、
予め設定されたファイルの対象情報、音声情報、テキスト情報、または地理的位置情報のうちの少なくとも1つを含む請求項7に記載の保護装置。
【請求項１０】
前記第2の判定モジュールが、前記目標のファイルが画像ファイルであるとき、前記画像ファイルの属性の特徴が前記予め設定された保護の条件を満たすかどうかを判定するように特に構成され、前記画像ファイルの前記属性の特徴が、前記画像ファイルの対象情報または地理的位置情報のうちの少なくとも1つを含み、
前記第2の判定モジュールが、前記目標のファイルが動画ファイルであるとき、前記動画ファイルの属性の特徴が前記予め設定された保護の条件を満たすかどうかを判定するように特に構成され、前記動画ファイルの前記属性の特徴が、前記動画ファイルの対象情報または音声情報のうちの少なくとも1つを含み、
前記第2の判定モジュールが、前記目標のファイルが電子メールファイルであるとき、前記電子メールファイルの属性の特徴が前記予め設定された保護の条件を満たすかどうかを判定するように特に構成され、前記電子メールファイルの前記属性の特徴が、前記電子メールファイルのテキスト情報を含み、前記電子メールファイルの前記テキスト情報が、キーワード情報、送信者情報、または受信者情報のうちの少なくとも1つを含み、
前記第2の判定モジュールが、前記目標のファイルがテキストファイルであるとき、前記テキストファイルの属性の特徴が前記予め設定された保護の条件を満たすかどうかを判定するように特に構成され、前記テキストファイルの前記属性の特徴が、前記テキストファイルのテキスト情報を含み、前記テキストファイルの前記テキスト情報が、キーワード情報または作成者情報のうちの少なくとも1つを含む請求項7に記載の保護装置。
【請求項１１】
前記適用モジュールが、以下の保護の解決策、すなわち、
前記目標のファイルを完全に隠すことと、
前記目標のファイルに対応するアプリケーション以外の別のアプリケーションが前記目標のファイルにアクセスすることを禁止することと、
前記目標のファイルが偶発的に送信された状態にあるときに、前記目標のファイルを送信することをリフレッシュまたは停止することとのうちの少なくとも1つを実行するように構成される請求項7に記載の保護装置。
【請求項１２】
前記予め設定されたファイルの条件、前記保護の条件、または前記保護の解決策のうちの少なくとも1つが変更されるとき、変更された内容を保存するように構成された保存モジュールをさらに含む請求項7から11のいずれか一項に記載の保護装置。
【請求項１３】
記録されたプログラムを有するコンピュータ可読記憶媒体であって、前記プログラムが、請求項1から6のいずれか一項に記載の保護方法をコンピュータに実行させる、コンピュータ可読記憶媒体。
【手続補正２】
【補正対象書類名】明細書
【補正対象項目名】００１８
【補正方法】変更
【補正の内容】
【００１８】
上述の技術的な解決策によって、目標のファイルを取得した後、端末デバイスは、目標のファイルが予め設定されたファイルの条件を満たすかどうかを判定し、目標のファイルが予め設定されたファイルの条件を満たす場合、目標のファイルが対応する予め設定された保護の条件を満たすかどうかを判定し、目標のファイルが対応する予め設定された保護の条件を満たす場合、対応する保護の解決策を目標のファイルに適用する。したがって、端末デバイスは、条件を満たす目標のファイルをリアルタイムで保護し、それによって、目標のファイルのプライバシーを保証することができる。
【手続補正３】
【補正対象書類名】明細書
【補正対象項目名】００２１
【補正方法】変更
【補正の内容】
【００２１】
以下で、本発明の実施形態の技術的な解決策を本発明の実施形態の添付の図面を参照して明瞭に説明する。明らかに、説明される実施形態は、本発明の実施形態の一部に過ぎず、すべてではない。創造的な努力なしに本発明の実施形態に基づいて当業者によって得られたすべてのその他の実施形態は、本発明の保護範囲内に入るべきである。
【手続補正４】
【補正対象書類名】明細書
【補正対象項目名】００２３
【補正方法】変更
【補正の内容】
【００２３】
本発明の実施形態を理解する便宜上、本発明の実施形態が適用されるシステムが、本明細書において初めに説明される。本発明の実施形態における技術的な解決策は、GSM(登録商標)、符号分割多元接続(CDMA)システム、広帯域符号分割多元接続(WCDMA(登録商標))、汎用パケット無線サービス(GPRS)、およびロングタームエボリューション(LTE)などの様々な通信システムに適用される。これは、本明細書において特に限定されない。
【手続補正５】
【補正対象書類名】明細書
【補正対象項目名】００２４
【補正方法】変更
【補正の内容】
【００２４】
端末デバイスは、無線アクセスネットワーク(RAN、Radio Access Network)を使用することによって1つまたは複数のコアネットワークと通信し得る。端末デバイスは、モバイル電話、タブレットコンピュータ、メディアプレイヤー、ゲームコンソール、パームトップコンピュータ、もしくはノートブックコンピュータなどのモバイル端末(Mobile Terminal)である可能性があり、またはパーソナルコンピュータなどの固定端末デバイスである可能性がある。これは、本明細書において特に限定されない。
【手続補正６】
【補正対象書類名】明細書
【補正対象項目名】００３５
【補正方法】変更
【補正の内容】
【００３５】
本発明のこの実施形態においては、目標のファイルを取得した後、端末デバイスが、取得された目標のファイルが予め設定されたファイルの条件を満たすかどうかを判定し、目標のファイルが予め設定されたファイルの条件を満たす場合、目標のファイルが対応する予め設定された保護の条件を満たすかどうかをさらに判定し、目標のファイルが対応する予め設定された保護の条件を満たす場合、対応する保護の解決策を目標のファイルに適用する。したがって、端末デバイスは、要件を満たす目標のファイルをリアルタイムで保護し、それによって、目標のファイルのプライバシーを保証することができる。
【手続補正７】
【補正対象書類名】明細書
【補正対象項目名】００６８
【補正方法】変更
【補正の内容】
【００６８】
本発明のこの実施形態においては、目標のファイルを取得した後、端末デバイスが、目標のファイルが予め設定されたファイルの条件を満たすかどうかを判定し、目標のファイルが予め設定されたファイルの条件を満たす場合、目標のファイルが対応する予め設定された保護の条件を満たすかどうかを判定し、目標のファイルが対応する予め設定された保護の条件を満たす場合、対応する保護の解決策を目標のファイルに適用する。予め設定されたファイルの条件、保護の条件、または保護の解決策のうちの少なくとも1つが変更されるとき、端末デバイスは、変更された内容を保存する。したがって、端末デバイスは、条件を満たす目標のファイルをリアルタイムで保護し、それによって、目標のファイルのプライバシーを保証することができる。
【手続補正８】
【補正対象書類名】明細書
【補正対象項目名】００７０
【補正方法】変更
【補正の内容】
【００７０】
図3を参照すると、本発明の実施形態によるファイル保護装置300の実施形態は、
目標のファイルを取得するように構成された取得モジュール301と、
取得モジュール301によって取得された目標のファイルが予め設定されたファイルの条件を満たすかどうかを判定するように構成された第1の判定モジュール302と、
目標のファイルが予め設定されたファイルの条件を満たすとき、目標のファイルが対応する予め設定された保護の条件を満たすかどうかを判定するように構成された第2の判定モジュール303と、
目標のファイルが予め設定された保護の条件を満たすとき、対応する保護の解決策を目標のファイルに適用するように構成された適用モジュール304とを含む。
【手続補正９】
【補正対象書類名】明細書
【補正対象項目名】００７１
【補正方法】変更
【補正の内容】
【００７１】
本発明のこの実施形態においては、取得モジュールが目標のファイルを取得した後、第1の判定モジュールが、目標のファイルが予め設定されたファイルの条件を満たすかどうかを判定し、目標のファイルが予め設定されたファイルの条件を満たす場合、第2の判定モジュールが、目標のファイルが対応する予め設定された保護の条件を満たすかどうかを判定し、目標のファイルが対応する予め設定された保護の条件を満たす場合、対応する保護の解決策が、目標のファイルに適用される。したがって、端末デバイスは、条件を満たす目標のファイルをリアルタイムで保護し、それによって、目標のファイルのプライバシーを保証することができる。
【手続補正１０】
【補正対象書類名】明細書
【補正対象項目名】００８２
【補正方法】変更
【補正の内容】
【００８２】
本発明のこの実施形態においては、取得モジュールが目標のファイルを取得した後、第1の判定モジュールが、目標のファイルが予め設定されたファイルの条件を満たすかどうかを判定し、目標のファイルが予め設定されたファイルの条件を満たす場合、第2の判定モジュールが、目標のファイルが対応する予め設定された保護の条件を満たすかどうかを判定し、目標のファイルが対応する予め設定された保護の条件を満たす場合、対応する保護の解決策が、目標のファイルに適用され、予め設定されたファイルの条件、保護の条件、または保護の解決策のうちの少なくとも1つが変更されるとき、保存モジュールが、変更された内容を保存する。したがって、端末デバイスは、条件を満たす目標のファイルをリアルタイムで保護し、それによって、目標のファイルのプライバシーを保証することができる。
【手続補正１１】
【補正対象書類名】明細書
【補正対象項目名】００８５
【補正方法】変更
【補正の内容】
【００８５】
図5に示されるように、一部の実装方法において、メモリ502は、プログラム命令を記憶し、プログラム命令は、プロセッサ501によって実行される可能性があり、プロセッサ501は、以下のステップ、すなわち、
目標のファイルを取得するステップと、
目標のファイルが予め設定されたファイルの条件を満たすかどうかを判定するステップと、
目標のファイルが予め設定されたファイルの条件を満たすとき、目標のファイルが対応する予め設定された保護の条件を満たすかどうかを判定するステップと、
目標のファイルが予め設定された保護の条件を満たすとき、対応する保護の解決策を目標のファイルに適用するステップとを特に実行する。
【手続補正１２】
【補正対象書類名】明細書
【補正対象項目名】００９０
【補正方法】変更
【補正の内容】
【００９０】
上記の内容からわかるように、目標のファイルを取得した後、端末デバイスが、目標のファイルが予め設定されたファイルの条件を満たすかどうかを判定し、目標のファイルが予め設定されたファイルの条件を満たす場合、目標のファイルが対応する予め設定された保護の条件を満たすかどうかを判定し、目標のファイルが対応する予め設定された保護の条件を満たす場合、対応する保護の解決策を目標のファイルに適用する。したがって、端末デバイスは、条件を満たす目標のファイルをリアルタイムで保護し、それによって、目標のファイルのプライバシーを保証することができる。
【手続補正１３】
【補正対象書類名】明細書
【補正対象項目名】００９１
【補正方法】変更
【補正の内容】
【００９１】
上述の実施形態において、実施形態の説明はそれらのそれぞれの焦点を有することに留意されたい。実施形態において詳細に説明されていない部分に関しては、その他の実施形態の関連する説明が参照され得る。たとえば、図5において説明される実施形態において詳細に説明されない部分に関しては、図1から図4までの方法の実施形態または装置の実施形態の関連する説明を参照されたい。
【国際調査報告】
2018502397.tif 000008
2018502397.tif 000009
2018502397.tif 000010
2018502397.tif 000011
2018502397.tif 000012